(57)【要約】  コア部材を容器内に収容することによるメリットを維持しながらも、コア部材の洗浄が容易であるために衛生上の問題を生じることなく繰り返して使用することが可能であり、且つ摺擦操作中にコア部材に付与する刺激を手によって任意にコントロールする。ヒンジ部３を中心として開閉自在に支持された２つのケース片４と、該各ケース片の内面に夫々配置された弾性多孔質部材１０と、ケース片の内面との間で該各弾性多孔質部材を挟んだ状態で該弾性多孔質部材の内面に沿って配置され且つ前記各ケース片に夫々固定された非通気性のコア片２０と、を有し、閉止した各コア片間で挿入空所を形成する開閉ユニット２からなる。
2011118665.tif 000002
【特許請求の範囲】
【請求項１】
ヒンジ部を中心として開閉自在に支持された２つのケース片と、該各ケース片の内面に夫々配置された弾性多孔質部材と、前記ケース片の内面との間で該各弾性多孔質部材を挟んだ状態で該弾性多孔質部材の内面に沿って配置され且つ前記各ケース片に夫々固定された非通気性のコア片と、を有し、閉止した前記各コア片間で挿入空所を形成する開閉ユニットからなることを特徴とする射精促進装置。
【請求項２】
前記各ケース片は硬質樹脂板からなる略半円筒体であり、前記弾性多孔質部材は、外面を該各ケース片の内側凹所内壁に固定されると共に内面の幅方向中央面が幅方向両端部よりも膨出した構成を備え、
前記コア片は、前記弾性多孔質部材の幅方向中央面に対応する部位の最薄肉厚が、該弾性多孔質部材の幅方向両端部に対応する部位の肉厚よりも薄く設定されていることを特徴とする請求項１に記載の射精促進装置。
【請求項３】
前記各コア片は、前記各ケース片の内面との間で該各弾性多孔質部材を気密封止し、少なくとも一方の前記ケース片に形成された貫通穴内に配置された抜気機構によって、前記各弾性多孔質部材中の空気を外気と連通させたり、連通を遮断することを可能としたことを特徴とする請求項１又は２に記載の射精促進装置。
【請求項４】
前記抜気機構は、前記ケース片に形成された貫通穴と、大径のフランジ部及び該フランジ部の中心部から一体的に突設された中空の軸部材を備え且つ前記フランジ部外面を外部に露出した状態で前記貫通穴によって前記軸部材を内外方向へ出没自在に支持されたバルブ部材と、前記バルブ部材を外方向へ常時付勢する弾性部材と、弾性材料から構成され前記フランジ部の外面を覆うキャップ部材と、を備え、
前記軸部材の中空部は、閉止された先端部手前の側面に内側開口部を有すると共に、該中空部の前記フランジ部側は前記フランジ部内に形成した空洞部と連通し、該フランジ部内の空洞部は該フランジ部に設けた外側開口部と連通し、
前記弾性部材の付勢によって前記バルブ部材が外方に位置している時には前記貫通穴内に設けたパッキングによって前記内側開口部が閉止されている一方で、前記弾性部材の付勢力に抗して前記バルブ部材を内部に押し込んだ時には前記内側開口部が開放されて前記中空部が前記弾性多孔質部材と連通し、
前記キャップ部材は、前記フランジ部の上面を覆う被押圧面と、該被押圧面と連続一体化されて前記フランジ部の外側開口部を弾性的に開閉する開閉片と、を有し、
前記キャップ部材の開閉片は、常時においては前記外側開口部を閉止する一方で、前記被押圧面が内部へ押し込まれた時には弾性変形して前記外側開口部を開放することを特徴とする請求項３に記載の射精促進装置。
【請求項５】
前記貫通穴は、前記バルブ部材のフランジ部及び前記キャップ部材を収容する大径凹所であるフランジ部収容部と、該フランジ部収容部から内部へ延びて前記軸部材の軸方向移動をガイドする小径管状の軸部材ガイド部と、を備え、
前記バルブ部材が前記弾性部材の付勢によって軸方向最外位置にある時に、該バルブ部材を被覆する前記キャップ部材と前記フランジ部収容部との間からの水の浸入を阻止する防水構造を備えたことを特徴とする請求項１乃至４の何れか一項に記載の射精促進装置。
【請求項６】
前記防水構造は、前記キャップ部材の外周縁の全周から内側へ突設したスカート状の弾性気密片と、前記フランジ部収容部の内底面から環状に突設されて前記弾性気密片と気密的に圧接する防水環状壁と、を備え、
前記キャップ部材の被押圧面が内方へ押し込まれた時には前記弾性気密片が外径方向へ捲れ上がることにより前記防水環状壁との間に通気経路を形成することを特徴とする請求項５に記載の射精促進装置。
【請求項７】
前記弾性気密片の外周面に周方向へ任意の配置にて前記フランジ部収容部内壁と接触するリブを突設し、該各リブ間に形成される間隙を通気経路としたことを特徴とする請求項１乃至６の何れか一項に記載の射精促進装置。
【請求項８】
前記開閉片の外面に周方向へ任意の配置にて前記フランジ部収容部内壁と接触するリブを突設し、該各リブ間に形成される間隙を通気経路としたことを特徴とする請求項１乃至７の何れか一項に記載の射精促進装置。
【発明の詳細な説明】
【技術分野】
【０００１】
本発明は射精促進装置に関し、特に医学的な研究、治療のための要請や、性犯罪防止、買春防止、及び性感染症の蔓延防止等の社会的な要請に基づいて従来から使用されてきた射精促進装置の改良に関するものである。
【背景技術】
【０００２】
医学的な研究や治療上の必要から、男性の精子を採取するための精子採取装置（射精促進装置）が種々提案されている。例えば、夫婦間の不妊の原因を究明するために採取した精子から夫の性機能を検査したり、性機能障害を治療したり、人工授精のために精子を確保する等の医学的な必要性のために精子採取装置が使用される。更に、個人的な性的欲求を解消させることによる性犯罪の予防、買春防止、性感染症感染者数の減少等の種々の社会的なニーズを満たすためにも、従来から低廉に入手することができ、しかも使い捨てタイプであるために衛生上、健康上の問題も惹起しない簡易な精子採取装置が知られている。
また、最近では健常者のみならず、各種養・介護施設における高齢者や障害者の性的欲求処理の必要性が着目されており、このような要請を満たすことができる簡易な精子採取装置の開発が求められている。
例えば、実用新案登録第３０７６６２７号（特許文献１）には、円筒状の容器本体内に、内部に深い凹部空間を有するゲル状の合成樹脂製（スチレン系熱可塑性エラストマー）の内装材（コア部材）を設け、当該内装材の内側には凹部空間へ突出した複数の小突起及び、襞状部を設けると共に、上記内装材の周囲を覆う状態に、ウレタン樹脂からなる外装材を設けた精子採取器が提案されている。
この精子採取器は、円筒状の容器本体の一端に設けた開口から容器内部に、内装材の周囲を覆うように外装材を組み付けた組付け体を挿入してから、該容器開口をキャップによって封止している。使用時にはキャップを取り外して容器本体内に収納された内装材の凹部空間内にペニスを挿入した状態で容器本体を把持してペニス摺擦のための往復操作を行うことにより精子を採取する。【０００３】
しかし、このタイプの精子採取装置は容器本体内に袋状の内装材を固定し、内装材だけを取り出すことができない構造となっているため、使用後に内装材内部を洗浄して衛生上の問題なく繰り返し使用するには適さず、基本的には使い捨てタイプである。このため、経済性、及び環境負荷という点で難があった。また、容器本体内に収容された内装材の凹部空間を無理に洗浄しても隅々までの洗浄は困難なために、繰り返し使用は不衛生である。また、内装材は硬質の容器本体内に完全に収納されるため、摺擦中に内装材外面に手で触れることができず、ペニスに加える加圧力の強弱や、加圧箇所を人手によって調整することが不可能である。また、袋状の構成を有した内装材を射出成形により製造する場合、型抜き等を考慮すると内装材内部に複雑な形状（突起、襞等）を形成することが難しかった。
一方、硬質樹脂から成る容器本体内に内装材を収容しない限り、ペニスに対して十分な締め付け力を付与することが不可能となるため、容器本体により内装材を収容した構成は必要である。
本出願人は、特許文献２乃至４において、容器本体内にゲル状樹脂製のコア部材を収容すると共に、コア部材先端面に添設したスポンジ蓋の外周を容器本体内壁に接着固定することによって容器本体内におけるコア部材の位置決めを図った精子採取装置（射精促進装置）を提案した。
しかし、これらの精子採取装置にあっても、特許文献１と同様の問題がある。
【先行技術文献】
【特許文献】
【０００４】
【特許文献１】実用新案登録第３０７６６２７号
【特許文献２】特開２００６−３３４１７６公報
【特許文献３】特開２００６−３４０８７０公報
【特許文献４】特開２００６−３４０８７１公報
【発明の概要】
【発明が解決しようとする課題】
【０００５】
以上のように従来の精子採取装置は、硬質樹脂から成る容器内に軟質樹脂からなるコア部材を固定的に収納した構成を有しているために基本的に使い捨てタイプであり、繰り返し使用ができないために経済性、及び環境負荷の点で問題があった。また、使用中にコア部材外面に触れることができないため、ペニスに対する刺激をコントロールできないという使用感上の問題もあった。
本発明は上記に鑑みてなされたものであり、コア部材を容器内に収容することによるメリットを維持しながらも、コア部材の洗浄が容易であるために衛生上の問題を生じることなく繰り返して使用することが可能であり、且つ摺擦操作中にコア部材に付与する刺激を任意にコントロールすることができる射精促進装置を提供することを目的としている。
【課題を解決するための手段】
【０００６】
上記目的を達成するため、請求項１の発明に係る射精促進装置は、ヒンジ部を中心として開閉自在に支持された２つのケース片と、該各ケース片の内面に夫々配置された弾性多孔質部材と、前記ケース片の内面との間で該各弾性多孔質部材を挟んだ状態で該弾性多孔質部材の内面に沿って配置され且つ前記各ケース片に夫々固定された非通気性のコア片と、を有し、閉止した前記各コア片間で挿入空所を形成する開閉ユニットからなることを特徴とする。
コア片とケース片との間に封じ込められた弾性多孔質部材はエアクッションとして機能し、挿入空所内を往復動するペニスに対して適度な加圧力と刺激を与えて精子採取効果を高めることができる。また、弾性多孔質部材は、コア片を構成する樹脂材料に比して軽量であるため、射精促進装置を軽量化して操作性、取扱性を高めることができ、またコア片を構成する樹脂に比して低廉であるためコストダウンを図ることができる。
請求項２の発明は、前記各ケース片は硬質樹脂板からなる略半円筒体であり、前記弾性多孔質部材は、外面を該各ケース片の内側凹所内壁に固定されると共に内面の幅方向中央面が幅方向両端部よりも膨出した構成を備え、前記コア片は、前記弾性多孔質部材の幅方向中央面に対応する部位の最薄肉厚が、該弾性多孔質部材の幅方向両端部に対応する部位の肉厚よりも薄く設定されていることを特徴とする。【０００７】
請求項３の発明では、前記各コア片は、前記各ケース片の内面との間で該各弾性多孔質部材を気密封止し、前記各ケース片に夫々形成された貫通穴内に配置された抜気機構によって、前記各弾性多孔質部材中の空気を外気と連通させたり、連通を遮断することを可能としたことを特徴とする。
請求項４の発明では、前記抜気機構は、少なくとも一方の前記ケース片に形成された貫通穴と、大径のフランジ部及び該フランジ部の中心部から一体的に突設された中空の軸部材を備え且つ前記フランジ部外面を外部に露出した状態で前記貫通穴によって前記軸部材を内外方向へ出没自在に支持されたバルブ部材と、前記バルブ部材を外方向へ常時付勢する弾性部材と、弾性材料から構成され前記フランジ部の外面を覆うキャップ部材と、を備え、前記軸部材の中空部は、閉止された先端部手前の側面に内側開口部を有すると共に、該中空部の前記フランジ部側は前記フランジ部内に形成した空洞部と連通し、該フランジ部内の空洞部は該フランジ部に設けた外側開口部と連通し、前記弾性部材の付勢によって前記バルブ部材が外方に位置している時には前記貫通穴内に設けたパッキングによって前記内側開口部が閉止されている一方で、前記弾性部材の付勢力に抗して前記バルブ部材を内部に押し込んだ時には前記内側開口部が開放されて前記中空部が前記弾性多孔質部材と連通し、前記キャップ部材は、前記フランジ部の上面を覆う被押圧面と、該被押圧面と連続一体化されて前記フランジ部の外側開口部を弾性的に開閉する開閉片と、を有し、前記キャップ部材の開閉片は、常時においては前記外側開口部を閉止する一方で、前記被押圧面が内部へ押し込まれた時には弾性変形して前記外側開口部を開放することを特徴とする。
請求項５の発明では、前記貫通穴は、前記バルブ部材のフランジ部及び前記キャップ部材を収容する大径凹所であるフランジ部収容部と、該フランジ部収容部から内部へ延びて前記軸部材の軸方向移動をガイドする小径管状の軸部材ガイド部と、を備え、前記バルブ部材が前記弾性部材の付勢によって軸方向最外位置にある時に、該バルブ部材を被覆する前記キャップ部材と前記フランジ部収容部との間からの水の浸入を阻止する防水構造を備えたことを特徴とする。【０００８】
請求項６の発明では、前記防水構造は、前記キャップ部材の外周縁の全周から内側へ突設したスカート状の弾性気密片と、前記フランジ部収容部の内底面から環状に突設されて前記弾性気密片と気密的に圧接する防水環状壁と、を備え、前記キャップ部材の被押圧面が内方へ押し込まれた時には前記弾性気密片が外径方向へ捲れ上がることにより前記防水環状壁との間に通気経路を形成することを特徴とする。
請求項７の発明では、前記弾性気密片の外周面に周方向へ任意の配置にて前記フランジ部収容部内壁と接触するリブを突設し、該各リブ間に形成される間隙を通気経路としたことを特徴とする。
請求項８の発明では、前記開閉片の外面に周方向へ任意の配置にて前記フランジ部収容部内壁と接触するリブを突設し、該各リブ間に形成される間隙を通気経路としたことを特徴とする。
【発明の効果】
【０００９】
本発明によれば、コア部材を袋体から構成するのではなく、組み付けることによって袋体状のコア部材を構成する２つのコア片から構成したので、コア片内部を露出させた状態で隅々まで洗浄することができ、衛生上の問題を生じることなく繰り返し使用することが可能となる。従来の射精促進装置のように硬質の容器内に軟質樹脂から成る袋状のコア部材を配置した場合には洗浄が困難であったが、本発明では硬質の容器内にコア片を収容したタイプでありながら洗浄が可能であり、繰り返し使用が可能となる。
また、コア片を閉じる前に凹所内にローションを塗布することもできるので、ローションを隅々まで注入することができ、作業性を高めることができる。
また、コア部材が、非袋体状であり、開放時に凹所を露出するタイプであるため、コア片を射出成形により製造する際に、シンプルな構造を有した金型を使用することができるので、複雑な突起、襞等を形成する等、コア片の内面形状にバリエーションを持たせることが容易となり、使用感を高めることが可能となる。
また、コア片とケース片との間に封じ込められた弾性多孔質部材はエアクッションとして機能し、挿入空所内を往復動するペニスに対して適度な加圧力と刺激を与えて精子採取効果を高めることができる。また、弾性多孔質部材は、コア片を構成する樹脂材料に比して軽量であるため、射精促進装置を軽量化して操作性、取扱性を高めることができ、またコア片を構成する樹脂に比して低廉であるためコストダウンを図ることができる。【００１０】
本発明に係る射精促進装置は、確かに医学的な目的以外にも、個人的な性欲を解消するための手段として使用されることはあるが、この様な用途に供されることのある射精促進装置だからといって公序良俗を乱す商品であると断定するのは、早計であり、偏見である。この種の商品が性犯罪防止、性感染症の拡散防止等に如何に役立つか、という広い視野に立って特許権を付与する価値があるか否かをご判断頂きたい。
因みに以下の事例は事実に基づいており、これらの社会的要請を満たす手段として射精促進装置が役立つことは疑いのない事実である。なお、当然のことながら、本発明に係る射精促進装置自体は未公開、未公知の状態にある。
まず、日本性機能学会雑誌  第２４巻  第３号、２００９年１２月に掲載された、獨協医科大学越谷病院泌尿器科の医師による論文「射精障害患者に対するMasturbatorを用いたリハビリテーション」中において、本出願人によって製造、販売されている精子採取装置（射精促進装置）が適正なマスターベーションを実施する上で有効である旨が記載されている。【００１１】
次に、本出願人からの要請により、タイ赤十字エイズ研究センター（The Thai Red Cross AIDS Research Center：http://www.redcross.or.th/english/aboutus/aids.php4）が、本出願人の開発に係る各種精子採取装置を使用した男性の性行動調査を行うこととなった。本調査内容は、精子採取装置を使用することで、男性（ＨＩＶ感染者、非感染者、ゲイ、バイセクシュアル、ノーマル含む）の性欲の高まりを鎮めたり、性的リスク行動を抑制したりする効果が認められるか否かを調査するものである。現在同センターで調査の準備を進めている。
また、特別養護老人ホームでは、高齢者の性的欲求の解消のための対策が求められている。即ち、高齢者のＱＯＬ（クオリティオブライフ）にとって「性」の部分の重要性は昨今指摘されている通りであり、こういった施設で起こるトラブルの８割方が男女問題、言うなれば色恋事と密接に絡んでいると言われる。本出願人が過去に製造、販売してきた精子採取装置は、高齢男性が「性」を楽しむ補助となっており「生きがい」や「生きる喜び・愉しみ」を提供することを通じ、ＱＯＬの向上に貢献していることが明らかとなっている。
また、これまで障害者の「性」に関してはなぜか長らく語られてこなかった。日本社会は人間の根源的な欲求の一つであるはずの「性欲」を、障害者には無いものとし、蓋をし続けてきた。本出願人は、「誰もが性を楽しめる社会づくり」という理念実現の一環として、障害者の性に対してもアプローチを続けている。障害児を持つ親への商品提供、中等養護学校教諭から、自閉症児へのマスターベーション指導に関する相談への対応等を行っている。
【図面の簡単な説明】
【００１２】
【図１】（ａ）及び（ｂ）は夫々本発明の一実施形態に係る射精促進装置の組付け状態を示す斜視図である。
【図２】（ａ）及び（ｂ）は開放した開閉ユニットとホルダを示す斜視図、及び閉止した開閉ユニットとホルダを示す斜視図である。
【図３】開閉ユニットの構成を示す分解斜視図である。
【図４】（ａ）乃至（ｅ）は開閉ユニットの組付け状態を示す正面図、平面図、左側面図、右側面図、及び底面図である。
【図５】（ａ）及び（ｂ）は射精促進装置の横断面図、及び開放した射精促進装置の横断面図である。
【図６】（ａ）及び（ｂ）は抜気機構を構成する各部品の分解斜視図である。
【図７】（ａ）及び（ｂ）は抜気機構を含む射精促進装置の一部断面図、及び抜気機構の斜視断面図である。
【図８】バルブ部材をキャップ部材の内部に装着する手順を示す斜視図である。
【図９】（ａ）及び（ｂ）は抜気機構による抜気動作を説明するための断面図である。
【図１０】他の実施形態に係るキャップ部材の構成を示す底部斜視図である。
【図１１】（ａ）及び（ｂ）は本発明の他の実施形態に係る抜気機構の構成及び動作説明図である。
【図１２】本発明の他の実施形態に係る抜気機構と防水構造を示す断面図である。
【図１３】（ａ）（ｂ）及び（ｃ）は抜気機構を構成するバルブ部材の構成を示す外観斜視図、底面側外観斜視図、及び一部断面斜視図である。
【図１４】（ａ）（ｂ）及び（ｃ）はキャップ部材の外観斜視図、底面斜視図、及び一部断面斜視図である。
【図１５】（ａ）及び（ｂ）はフランジ部収容部の構成を示す外観斜視図、及び一部断面図である。
【発明を実施するための形態】
【００１３】
以下、本発明を図面に示した実施形態により詳細に説明する。
図１（ａ）及び（ｂ）は夫々本発明の一実施形態に係る射精促進装置の組付け状態を示す斜視図であり、図２（ａ）及び（ｂ）は開放した開閉ユニットとホルダを示す斜視図、及び閉止した開閉ユニットとホルダを示す斜視図であり、図３は開閉ユニットの構成を示す分解斜視図であり、図４（ａ）乃至（ｅ）は開閉ユニットの組付け状態を示す正面図、平面図、左側面図、右側面図、及び底面図であり、図５（ａ）及び（ｂ）は射精促進装置の横断面図、及び開放した射精促進装置の横断面図である。
射精促進装置１は、開閉ユニット２と、ホルダ３０と、から概略構成されている。開閉ユニット２は、側端縁に設けたヒンジ部３を中心として開閉自在に支持された２つのケース片４と、各ケース片４の内面に夫々配置された弾性多孔質部材１０と、各ケース片４の内面との間で各弾性多孔質部材１０を気密封止するように各弾性多孔質部材の内面に沿って配置され且つ各ケース片に夫々固定された非通気性のコア片２０と、各ケース片４に設けた貫通穴６内に配置されて弾性多孔質部材１０中の空気を外気と連通させるための抜気機構４０と、を有する。
２つのケース片４は、ケースを構成している。ヒンジ部３は例えば可撓性を有した樹脂シートから成り、この樹脂シートを両ケース片の端縁に接着固定することによりヒンジとして利用する。
【００１４】
各コア片２０は、各ケース片４の内側面に弾性多孔質部材１０を介して夫々支持されて各ケース片と共に開閉し、図１（ａ）に示したケース片の閉止状態では各コア片間でペニス挿入用の挿入空所２１を形成する。
ホルダ３０は、閉止した状態にある開閉ユニット２を図１のように使用可能な状態にて夫々着脱自在に保持する。なお、図１に示した使用状態ではペニス挿入用の挿入口２１ａが露出しているため射精促進装置は使用可能な状態となっているが、これとは逆にペニス挿入用の挿入口２１ａをホルダの基部３１で閉止するようにホルダを装着した場合には使用不可能な状態となる。
各ケース片４は比較的硬質の樹脂板から成り、図１のように閉止したときに内部に図５に示した筒状中空部５を形成するように各ケース片４の内側には凹所５ａが形成されている。各凹所５ａ内には弾性多孔質部材１０を間に介在させてコア片２０が整合状態で嵌合して収納され、且つ固定される。ケース片は閉じたときに筒状中空部５を形成するので、筒状中空部内に軟質材料から成るコア片対（コア部材）を収容して形状を保ち、使用時の変形、型くずれ、挫屈を防止することができる。
なお、２つのケース片４は容器を構成している。
【００１５】
ヒンジ部３は、各ケース片４を成形するときに一体的に成形した連結片として構成してもよいし、後付けしてもよい。また、本例では、各ケース片４の一つの長辺に沿った部位をヒンジ部３としているが、短辺に沿った部位をヒンジ部としてもよい。
弾性多孔質部材１０は、ウレタンフォーム（スポンジ）の如き、内部に互いに連通する多数の微細な孔を有した軟質材料から構成されており、加圧されていない状態では自らの弾性により膨らんだ状態を維持することにより孔内に空気を保持し、加圧により圧縮された状態では孔内の空気を排出する。弾性多孔質部材１０は、図５の断面図に示すように外面を各ケース片４の内壁に密着させた状態で固定され、内面はコア片２０と密着一体化している。
【００１６】
図７（ａ）の断面図に示すように、各ケース片４は硬質樹脂板からなる略半円筒体であり、弾性多孔質部材１０は、外面を各ケース片の内側凹所内壁に固定されると共に、弾性多孔質部材１０の内面の幅方向中央面が幅方向両端部よりも膨出した構成を備えている。弾性多孔質部材１０の幅方向中央面が内側へ向けて膨出している結果として、この膨出部位が他の部位よりも圧縮により圧縮変形し易く、且つ圧縮解除によって膨出し易くなり、挿入空所２１にペニスを挿入した時にコア片対（コア部材）から加わる圧力、圧力解除による変形が容易になる。
本例に係るコア片２０は、弾性多孔質部材１０の幅方向中央面（膨出部）に対応する部位の肉厚が、弾性多孔質部材の幅方向両端部に対応する部位の肉厚よりも薄く設定されている。このため、弾性多孔質部材１０が膨張していることによって発生するコア片２０の幅方向中央部を内径方向に加圧する力をコア片側に忠実に反映させてコア片の薄肉部を内径側に変形させて、射精促進効果を高めることができる。
【００１７】
次に、ケース片４に弾性多孔質部材１０を介してコア片２０を一体化した構造は、ケース片内部に弾性多孔質部材１０を位置決めした状態で、このケース片を金型の成型空所内に配置し、コア片を構成する樹脂材料を成型空所内に注入する射出成形を行うことにより製造することができる。
コア片２０は少なくともその一部をゲル状樹脂等の軟質樹脂から構成し、ケース片４とコア片２０との接触面は射出成形時に一体的に固定された状態となる。本実施形態のコア片２０は、図５の断面図に示すように弾性多孔質部材１０の内面全体を軟質樹脂層２３により被覆した構成を有し、コア片２０の内面には挿入空所２１を形成する凹所２４を形成する。凹所２４の軸方向一端部には挿入口２１ａとなる凹部２６を形成する。なお、挿入口２１ａと対応するケース片４の端面には挿入用開口部４ａが形成される。なお、開口部４ａは、挿入口２１ａを全部露出させる形状であってもよい。また、挿入口２１ａは常時においては挿入口周縁部を構成する軟質樹脂によって閉じた状態とし、挿入用開口部４ａを挿入口２１ａを形成する軟質樹脂によって閉止するように構成してもよい。
また、ケース片４の挿入側端部を所定長切断して短尺化し、コア片の挿入側端部（挿入口２１ａを有した円弧状の部分）がケース片の外部に常時露出（突出）するように構成してもよい。
【００１８】
コア片２０を構成する軟質樹脂は、エラストマーのような弾性を有したゲル状の樹脂、或いはゲル状のゴム等から構成する。コア片２０は従来のコア部材とは異なって袋体状ではなく、袋体を軸方向へ二分割した如き形状であるために、射出成形に使用する金型をシンプル化することができる。従って、凹所２４の内壁には任意の配置、形状にて突起、襞等が形成される。なお、２つのコア片２０はコア部材２０Ａを構成している。
非多孔質材から成るコア片２０は、弾性多孔質部材１０を構成するウレタンフォーム等よりも密度が高く、その内部に気体を取り込む余地がない。
このような材質から成るコア片２０とケース片４との間に封じ込められた弾性多孔質部材１０はエアクッションとして機能し、挿入空所２１内を往復動するペニスに対して適度な加圧力と刺激を与えて精子採取効果を高めることができる。
また、弾性多孔質部材１０は、コア片を構成するゲル状樹脂材料に比して軽量であるため、射精促進装置を軽量化して操作性、取扱性を高めることができ、またゲル状樹脂に比して低廉であるためコストダウンを図ることができる。
【００１９】
ホルダ３０は、図２等に示すように、軸方向一端部に設けられた底面３１ａが平坦な基部３１と、基部３１の一箇所から軸方向に延びて閉止状態にある開閉ユニット２の着脱をガイドすると共に開閉ユニットを脱落不能に保持する保持部３５と、を備えている。
ヒンジ部３とは反対側の各ケース片４の端縁７には夫々アリ溝部７ｂを有した突条７ａが形成されており、図１（ｂ）、図５（ａ）に示すようにケース片を閉止した時に各突条７ａ同士が近接して断面形状が略台形条の突条７Ａを形成する。この場合、突条７ａは端縁７の所要箇所のみに設けても良いし、端縁７の長手方向全長、或いは一部に亘って延在する長尺な突条としてもよい。
図１、図５（ａ）は開閉ユニットにホルダを組み付けた状態を示す説明図である。ホルダの保持部３５の内側面にはこの突起７Ａを受け入れて軸方向移動をガイドするガイド溝３６が形成されている。ガイド溝３６は、断面形状が台形の突起７Ａを受入れ可能な形状を有しているため、ガイド溝３６の軸方向一端開口から、或いは、他端部からも、突起７Ａを受入れて軸方向へガイドすることができる。２つの突条７ａから成る突起７Ａをガイド溝３６が分離しないように押さえつつガイドするため、ケース片４を分離させずにホルダ３０によって保持されることができる。
【００２０】
図１（ｂ）に示した使用可能状態において、閉じた状態にある挿入口２１ａから挿入空所２１内にペニスが挿入されていない場合には、挿入空所２１は密閉された空間となっている。
開閉ユニット２は、図１、図２（ｂ）、図５（ａ）に示した如き閉止状態から、図２（ａ）、図５（ｂ）に示した順序で開放することができる。開放状態においては各コア片の内側面が露出するため、凹所２４内を隅々まで洗浄することができる。洗浄後は、開閉ユニット２を開放した状態で乾燥させることができる。
乾燥後は、開閉ユニット２を閉じてホルダに装着し、ホルダの基部３１が挿入口２１ａを塞ぐようにホルダ３０を被せて保管したり、或いは図１の使用状態にすることができる。使用する際には、挿入口２１ａからローションを注入して使用する。或いは、開閉ユニット２を閉じる前に各コア片の凹所２４内にローションを塗布しておいてもよい。
【００２１】
次に、図６（ａ）及び（ｂ）は抜気機構を構成する各部品の分解斜視図であり、図７（ａ）及び（ｂ）は抜気機構を含む射精促進装置の一部断面図、及び抜気機構の斜視断面図であり、図８はバルブ部材をキャップ部材の内部に装着する手順を示す斜視図であり、図９（ａ）及び（ｂ）は抜気機構による抜気動作を説明するための断面図であり、図１０はキャップ部材の一例の構成を示す底部斜視図である。
なお、本実施形態では、抜気機構４０を各ケース片に設けた例を示したが、何れか一方のケース片のみに設けても良い。
抜気機構４０は、各ケース片４に形成された貫通穴４１を含む貫通穴部材４２と、貫通穴４１内に軸方向へ進退自在に支持されたバルブ部材５０と、バルブ部材５０を外方向へ常時付勢する弾性部材６０と、キャップ部材７０と、貫通穴４１の内壁にワッシャ８１によって固定されて貫通穴内壁とバルブ部材の軸部材５５との間の間隙を封止するＯリング（パッキング）８０Ａ、８０Ｂと、から概略構成されている。なお、バルブ部材５０とキャップ部材７０は、ボタンＢを構成している。
金属、或いは硬質樹脂から構成されるバルブ部材５０は、大径のフランジ部５１及び該フランジ部の中心部から一体的に突設された中空の軸部材５５を備え、且つフランジ部を各ケース片の外部に配置した状態で貫通穴４１によって軸部材５５を内外方向へ出没自在に支持されている。
【００２２】
貫通穴４１（貫通穴部材４２）は、バルブ部材のフランジ部５１及びキャップ部材７０を収容する大径凹所であるフランジ部収容部４３と、フランジ部収容部４３から内部へ延びて軸部材５５の軸方向移動をガイドする小径管状の軸部材ガイド部４４と、を備えている。
弾性部材６０は、外側のＯリング８０Ｂと接するワッシャ８１とフランジ部５１の下面との間に配置されてフランジ部を軸方向外方向へ常時付勢することにより、バルブ部材全体を同方向へ付勢する。
バルブ部材５０の軸部材５５内部の中空部５５ａは、ビス５６によって閉止された先端開口部（内側端面）５５ｃよりも手前側の側面に内側開口部５５ｂを有すると共に、中空部５５ａのフランジ部側はフランジ部内に形成した空洞部５１ａと連通し、フランジ部５１内の空洞部５１ａはフランジ部の下面及び外周面に夫々設けた外側開口部５１ｂと連通している。要するに、内側開口部５５ｂは、中空部５５ａ、及び空洞部５１ａを経由して外側開口部５１ｂと連通している。各外側開口部５１ｂは常時においてはキャップ部材７０の一部によって閉止されている。
軸部材５５の先端には内面に雌螺子部を備えた先端開口部５５ｃが設けられており、この先端開口部はビス５６によって閉止されている。このため、先端開口部５５ｃは常時気密的に閉止された状態にある。
【００２３】
図９（ａ）のように弾性部材６０の付勢によってバルブ部材５０が軸方向外方に位置している時には貫通穴４１内に配置したＯリング８０Ａによって内側開口部５５ｂが閉止されているために中空部５５ａは弾性多孔質部材１０が収容された空所Ｓと非連通状態にある。一方、図９（ｂ）のように弾性部材６０の付勢力に抗してバルブ部材５０を軸方向内側に押し込んだ時には、Ｏリング８０Ａが貫通穴部材４２の先端開口から内方へ突出するため内側開口部５５ｂが開放され、中空部５５ａは弾性多孔質部材１０が収容された空間と連通する。
Ｏリング（パッキング）８０Ａ、８０Ｂは、管状の軸部材ガイド部４５の内壁の適所に突設した環状係止片４５ａの内外に夫々配置されており、各Ｏリング８０Ａ、８０Ｂの内外には夫々ワッシャ８１が配置されて各Ｏリングを位置決めしている。各Ｏリング８０Ａ、８０Ｂは、軸部材５５の外面と軸部材ガイド部４５の内壁とに夫々密着して気密性を保持する一方で、軸部材５５のスムーズな軸方向移動を許容している。
軸方向内側のＯリング８０Ａは、図９（ａ）に示したボタンＢの非押圧状態では内側開口部５５ｂよりも軸方向内側において貫通穴部材４２の内壁と密着していることにより内側開口部５５ｂが空所Ｓと連通することを阻止する一方で、図９（ｂ）に示したボタンＢの押し込み時には軸部材が軸方向内方に変位することにより、内側のＯリング８０Ａが貫通穴部材４２の先端開口を開放して内側開口部５５ｂと空所Ｓとを連通させる。
軸方向外側のＯリング８０Ｂは、図９（ａ）に示したボタンＢの非押し込み状態において、内側開口部５５ｂがキャップ部材７０とフランジ部収容部４３との間の空間を介して外気と連通することを阻止している。
【００２４】
軸部材５５の外周に設けた段差部５５ｄは、上側のワッシャ８１と当接することにより、バルブ部材５０が過剰に押し込まれることを阻止するストッパである。
キャップ部材７０は、樹脂、ゴム等の薄肉の弾性材料から構成され、バルブ部材のフランジ部５１の外面を覆う。即ち、キャップ部材７０はフランジ部５１の上面を覆う外面７１と、外面７１と連続一体化されてフランジ部下面の外側開口部５１ｂを弾性的に開閉する開閉片７２と、外面７１の外周縁から下方へスカート状に突設された弾性気密片７３と、を有する。本例では、キャップ部材７０はその内部にフランジ部５１を圧入状態で支持する収容空間７０ａを備え、キャップ部材はフランジ部に対して着脱自在である（図８）。しかも、開閉片７２は、外側開口部５１ｂを閉止した閉止位置(図９（ａ）)からフランジ部下面に沿って外径方向（開放方向）へ移動して外側開口部５１ｂを開放した位置（図９（ｂ））まで変位可能である。
【００２５】
弾性気密片７３は、フランジ部収容部４３の底面から環状に突設した防水環状壁４３ａと圧接することにより、フランジ部収容部４３とキャップ部材７０の底面との間の空間を気密封止している。弾性気密片７３と防水環状壁４３ａとは、防水構造を構成している。
外面７１は、中心部に位置する突起状の被押圧面（被押圧部）７１ａと、被押圧面７１ａの外周に同心状に延びる張出し面（張出し部）７１ｂと、からなる。被押圧面７１ａの内部に位置する収容空間７０ａ内にはフランジ部５１が密着して収容されており、張出し面７１ｂの内側にはフランジ部は存在していない。このため、被押圧面７１ａを内側へ押し込んでバルブ部材５０を内奥部まで移動させた時に、張出し面７１ｂは全体としては内部には押し込まれず、被押圧面７１ａと接する張出し面７１ｂの内径部分が内部へ変形する。この際、張出し面７１ｂの外径部分は相対的に上方に捲れ上がり、その結果、張出し面７１ｂの外径部分と連続形成された開閉片７２が外径側へ引っ張られて外側開口部５１ｂを開放する。また、このとき弾性気密片７３も相対的に上方に捲れ上がるため、フランジ部収容部４３の防水環状壁４３ａから離間して外側開口部５１ｂと外気との間で空気の流通性を高める。
【００２６】
即ち、キャップ部材７０の開閉片７２は、被押圧面７１ａが内方へ押し込まれていない常時においてはフランジ部５１の下面と密着して外側開口部５１ｂを閉止する一方で、操作者により被押圧面を介してバルブ部材のフランジ部５１が内部へ押し込まれた時には張出し面７１ｂの捲れ上がりに連動して弾性変形して捲れ、外側開口部５１ｂを開放する。
更に、キャップ部材７０をフランジ部５１の外面に被せた状態において操作者の指によって被押圧面７１ａを軸方向内側に押し込んだときにはバルブ部材５０は全体的に貫通穴部材４２内を内方へ移動する。この時、キャップ部材７０の張出し面７１ｂは上方に相対的に捲れ上がり、弾性気密片７３も張出し面に連れて上方に捲れ上がるため、弾性気密片とフランジ部収容部４３の内壁との間に通気用の間隙を形成する。このため、バルブ部材の中空部５５ａを介して空所Ｓが外気と連通する。被押圧面７１ａが押し込まれていない状態では、弾性気密片７３はフランジ部収容部４３の防水環状壁４３ａと密着し、雨水が貫通穴４１内に浸入することを阻止している。
【００２７】
以上のようにバルブ部材５０が内部に押し込まれていない状態では内側開口部５５ｂが弾性多孔質部材１０が収容されている空所Ｓと連通しておらず、外側開口部５１ｂも開閉片７２によって閉止されている。このため、弾性多孔質部材１０は外気と遮断された状態にある。更に、弾性気密片７３が全周に渡ってフランジ部収容部４３の防水環状壁４３ａと密着することにより、密着部の内径側に雨水が浸入することを阻止しているため、バルブ部材の押し込みによって外側開口部５１ｂ、及び内側開口部５５ｂが開放したとしても、中空部５５ａを介して雨水が空所Ｓ内に浸入することを防止できる。
【００２８】
次に、図１に示した使用状態で、挿入口２１ａから挿入空所２１内にペニスが挿入されていない状態において、バルブ部材のフランジ部５１を内奥部まで押し込んで弾性多孔質部材１０を一旦外気と連通状態にしてからバルブ部材を押し込む力を解除すると、弾性多孔質部材１０はその多孔内に空気を充満した状態となる。
この状態ではケース片４とコア片２０との間の空所Ｓに空気が充満して内圧が高まっているため、挿入空所２１を構成するコア片内壁は内側へ向けて加圧され狭くなっている。
このため、この状態で挿入口２１ａからペニスを挿入することが容易でなく、空間内の圧力を減圧しない限りペニスを挿入しにくい。
【００２９】
一方、キャップ部材７０の被押圧面７１ａを内奥部まで押し込むと、内側開口部５５ｂが空所Ｓと連通する一方で開閉片７２が捲れて外側開口部５１ｂを開放するため、空所Ｓが外気と連通する。この状態で挿入空所２１内のペニスを挿入するとスムーズな挿入が可能となる。
なお、射精を促進するために挿入空所２１内にペニスを挿入した状態で本射精促進装置を往復運動させる際には、ボタンＢを押し込んだ状態を維持しつつ行う。或いは、空所Ｓ内の空気圧を好みに応じた最適な状態に設定した段階でボタンＢの押し込みを停止して内圧を一定に維持しながら射精促進装置による往復操作を行うようにしてもよい。要するに、ペニス挿入時にはボタンＢを一旦押し込んで空所Ｓ内の内圧を低下させることにより挿入空所内へのペニスの挿入を容易化する一方で、挿入を完了した後には任意のタイミングでボタンの押圧を解除したり、押圧することにより内圧を調整することが可能となる。
なお、ボタンＢを押圧するのを停止した時点で、各コア片の内壁はペニス外面と密着した状態となるので、吸着感を得ることができ、この状態での摺擦操作によって射精を更に促進することができる。
要するに、ボタンＢを押し込んでいる時は空所Ｓ内の空気が貫通穴から外部へ放出されるため、挿入空所２１へペニスを挿入するとコア部材の挿入空所２１が拡開し、ペニスを退避させると各コア片と弾性多孔質部材の原形復帰力によって挿入空所が狭まる。従って、ペニスと挿入空所内壁とが常に密着した状態を維持し、この密着効果により射精を促進することができる。
【００３０】
一方、ペニスを挿入空所内に位置させた状態でボタンＢを押し込む力を解除すると、空所Ｓ内の空気が外部へ放出されなくなる。このとき、ペニスは挿入空所によってホールドされており、この状態でペニスを引き抜き方向へスライドさせると挿入空所内部（ペニス先端よりも奥側）に負圧空間が形成され、この負圧によってペニスに対して吸着効果が発生する。
つまり、ボタンＢを押した状態ではペニスと挿入空所内壁とが密着する一方で、ペニスを挿入した状態でボタンを離すと挿入空所内壁がペニスに吸着する。また、ボタンを離すタイミングをペニスの挿入空所内部における位置（深さ）によって変えると、締め付け感、吸着効果が異なってくる。例えば、ペニスの挿入深度が１／２程度のときにボタンを離して外気との連通を遮断すると、空所内部に残る空気量が多いので、そのままペニスを奥に挿入した場合の締め付け力が強くなります。また、その状態からペニスを引き抜くと（締め付け・密着が強い状態で引き抜くので）強い吸着効果を得ることができる。
このような密着感、使用感の変化は、ボタン押圧、押圧解除とペニス挿入という各操作の協働によって弾性多孔質部材の体積を変化させることによって初めて得ることができる。
次に、抜気機構４０を設けた場合には、貫通穴４１を経由して弾性多孔質部材１０を収容した空所Ｓ内に外部から異物、特に水等の液体が浸入することを避けるために防水構造を設ける必要性が高くなる。弾性多孔質部材１０は吸水性を有するため、水分を吸収すると通気時の体積膨張、抜気時の体積縮減がスムーズに行かなく虞がある。また、吸水により空所内の衛生状態が悪化する虞もある。
【００３１】
図７、図９中には本発明の射精促進装置における防水構造９０が示されている。
防水構造９０は、バルブ部材５０が弾性部材６０の付勢によって軸方向最外位置にある時に、バルブ部材を被覆するキャップ部材７０とフランジ部収容部４３との間からの貫通穴４１内への水の浸入を阻止する手段である。
防水構造９０は、キャップ部材の外周縁（張出し面）７１ｂの全周から内側へスカート状に突設した弾性気密片７３と、フランジ部収容部４３の内底面から環状に突設されて弾性気密片７３と気密的に圧接する防水環状壁（フランジ部収容部の内壁）４３ａと、を備える。そして、キャップ部材７０の被押圧面７１ａが内方へ押し込まれた時には弾性気密片７３が外径方向へ捲れ上がることにより防水環状壁４３ａとの間に通気経路を形成する。
又、図９中に破線で示すように防水環状壁４３ａの一部を短尺化する（凹状に切り欠く）ことにより、（ｂ）に示した抜気時に弾性気密片７３との間に通気経路が形成し易いように構成する。
【００３２】
次に、図１０は他の実施形態に係るキャップ部材の底部斜視断面図であり、図８に示した前記実施形態に係るキャップ部材と対比しながら説明する。
図１０の実施形態に係るキャップ部材７０が図８のキャップ部材と異なる点は、弾性気密片７３の外周に沿って所定のピッチで突設した径方向へ延びる外径側リブ７５と、開閉片７２の下面に周方向へ所定のピッチにて突設した内径側リブ７６とを有した点である。
外径側リブ７５は、その外面でフランジ部収容部４３の内壁４３ｂと接することにより、内壁４３ｂと弾性気密片７３との間に常時通気経路を形成する。このため、図１１（ａ）のボタン非押圧時は勿論、図１１（ｂ）のボタン押圧時にも内壁４３ｂと弾性気密片７３との間に通気経路を形成することができ、バルブ部材５０内部の空間を経て移動してくる空所Ｓ内の空気を確実に外部へ排出することができる。
図８のように外径側リブを有しない場合には、図９（ｂ）に示すようにボタンＢを押し込んだときに外径側へ弾性変形する弾性気密片７３が内壁４３ｂと接することによって空所Ｓ内の空気が外部に流出する妨げとなる虞がある。
【００３３】
これに対して、外径側リブ７５を設けた場合には、弾性気密片７３が外径側に変形したとしても外径側リブと内壁４３ｂとの間に常に通気経路が確保されることとなる。
内径側リブ７６は図１１（ａ）に示したボタンＢの非押圧時には、内径側リブ７６はフランジ部収容部４３の底面と非接触状態にあるが、（ｂ）のようにボタンＢを押し込んだ時には、フランジ部収容部４３の底面と接触することにより、内径側リブ７６間の空間を介して空所Ｓ内の空気が確実に外部に排出されるようにしている。仮に、内径側リブ７６を設けない場合には、キャップ部材７０の押し込みによって開閉片７２がフランジ部収容部４３の底面と接触して通気を妨げる虞がある。
なお、本実施形態では、弾性気密片７３の内周面に沿った全周にギザギザ状の突出部（或いは、溝部）から成るワイパー７３ａを設けて、図１１（ａ）に示した非押圧時における防水環状壁４３ａの外周面との間の気密性を高めている。
つまり、弾性気密片７３の裾部分に設けられたワイパー７３ａが、凹凸状の防水環状壁４３aの非凹面（凹状の切り込みを回避した部位）の全周に渡って適度の圧力で密着することにより、密着時に内部への水の浸入を防いでいる。また、ボタンＢを押し込んだ時には密着状態を解除して防水環状壁４３ａと弾性気密片７３との間の通気路を確保することができる。
【００３４】
次に、図１２は本発明の他の実施形態に係る抜気機構と防水構造を示す断面図であり、図１３（ａ）（ｂ）及び（ｃ）は抜気機構を構成するバルブ部材の構成を示す外観斜視図、底面側外観斜視図、及び一部断面斜視図であり、図１４（ａ）（ｂ）及び（ｃ）はキャップ部材の外観斜視図、底面斜視図、及び一部断面斜視図であり、図１５（ａ）及び（ｂ）はフランジ部収容部の構成を示す外観斜視図、及び一部断面図である。
なお、前記実施形態と同一部分には同一符号を付して説明する。
図１２、図１３に示すように、本実施形態に係るバルブ部材５０は、フランジ部５１内部に容積の大きいリング状の空洞部５１ａを形成すると共に、リング状の空洞部５１ａと外部とを連通させる外側開口部５１ｂの開口面積を大きくするために、前記実施形態において空洞部５１ａの下面側に位置していた壁部を一部除去することにより、フランジ部の下面を環状に開放させている。フランジ部の周壁には空洞部５１ａと連通する周壁穴５１ｃを形成している。空洞部５１ａの内径側には段差部５１ｄが突設されている。
図１２に示すように空洞部５１ａと軸部材５５の一端部（外側端部）開口とは連通している。エラストマー等から成るキャップ部材７０の非押圧時に、軸部材５５の一端部外周に設けた段差部５２ｄの下面にキャップ部材に設けた開閉片７２が圧接することにより、外側開口部５１ｂを介した外気との連通を遮断している。また、周壁穴５１ｃは収容空間７０ａの内壁によって密閉されている。
【００３５】
バルブ部材５０の軸部材５５の先端部（内側端部）は図示のように開放させておき、この開放部を前記実施形態のようにビス（ボルト、その他の気密部材）５６によって閉止してもよいし、製造時に開放部を設けずに閉止状態としておいてもよい。また、本例の軸部材５５の外側端部はフランジ部５１の頂部まで貫通している点が前記実施形態の軸部材とは異なっているが、フランジ部頂部の開口５１ｅは、キャップ部材の収容空間７０ａの内壁により密閉されるため、フランジ部頂部の開口５１ｅの有無によって気密性に影響が生じることはない。
このように構成することにより、切削加工により軸部材の内部に中空部５５ａを形成する際に、フランジ部の頂部からドリルにより穿孔することができるため、製造手数を低減することができる。この際に、軸部材の内側端部の手前で穿孔を中止することにより、軸部材の内側端部を閉塞状態に保つことができ、閉塞手段としてのビス等が不要となる。フランジ部頂部に開口５１ｅを設けることにより、中空部５５ａをより大径とすることができ、キャップ部材を押し込んだ時の空気の吸排気量を増大させることができる。なお、軸部材先端を開口してビスを固定する場合には、雌螺子を形成しビスの締め付け強度を確保す必要から中空部５５ａの内径を螺子径よりも小さくする必要があるのに対して、フランジ部頂部から穿孔する場合にはフランジ部頂部のみからの作業により穿孔でき、しかも可能な限り中空部の内径を大きくすることができる。
なお、防水構造９０を構成する防水環状壁４３ａ、弾性気密片７３が存在するため、防水性を維持するために開閉片７２によって外側開口部５１ｂを厳格に密閉する必要は必ずしもない。つまり、キャップ部材を押し込んでいないときに開閉片７２が外側開口部５１ｂを多少開放させた状態であっても防水性は確保可能である。また、周壁穴５１ｃは収容空間７０ａの内壁によって密閉されているが、周壁穴についても防水性が確保できる程度に密閉すればよい。
なお、図１２では、軸部材の外周に段差部を設け、この段差部にＥリング（ワッシャ）８２を係合させることにより、バルブ部材５５の位置決め、係止を行っている。
なお、請求項４中における空洞部とは、図６乃至図１１の実施形態におけるフランジ部５１に形成した空洞部５１ａのみならず、図１２乃至図１４の実施形態におけるリング状の空洞部５１ｂをも含むものである。両者の違いは、下面側に形成された外側開口部５１ｂの開口量、開口形状の違いのみである。
【００３６】
空洞部５１ｂの容積と、外側開口部５１ｂの開口量を拡大したことにより、キャップ部材を押し込むことにより開閉片７２を開放状態に変形させた時における空気の流動効率（排気量）を大幅に高めることができる。従って、コア片２０とケース片４との間の空所Ｓを外気と連通させたり、連通を遮断する際の応答性、操作性を高めることができる。
なお、前記実施形態では、キャップ部材７０を構成する開閉片７２の下面に周方向へ所定のピッチにて内径側リブ７６を突設したが、本実施形態ではこの内径側リブ７６を除去している。その理由は、図１４に示したようにケース片４側に設けたフランジ部収容部４３の形状を一部改良したからである。
即ち、本実施形態では、図１５に示すように、フランジ部収容部４３の底面に、中心部の貫通穴４１から外径方向へ放射状に延びる複数の突条４６ａを形成して突条間に通気用の溝４６ｂを形成することにより、キャップ部材７０を押し込んだときに開閉片７２とフランジ部収容部底面との間に大きな空気通路を確保している。つまり、図１０、図１１の実施形態における内径側リブ７６に代えて、フランジ部収容部側に突条４６ａ、及び溝４６ｂを設けたものである。
【００３７】
以上の如き構成を備えた本発明の射精促進装置によれば、開閉ユニット２を開放してコア片内面を露出させることができるので、コア片内部を露出させた状態で隅々まで洗浄することができ、衛生上の問題を生じることなく繰り返し使用が可能となる。従来の射精促進装置のように硬質の容器内に軟質樹脂から成る袋状のコア部材を配置した場合には洗浄が困難であったが、本発明では硬質の容器内にコア片を収容したタイプでありながら洗浄が可能であり、繰り返し使用が可能となる。
また、コア片を閉じる前に凹所２４内にローションを塗布することもできるので、ローションを隅々まで注入することができ、作業性を高めることができる。
また、コア部材が、非袋体状であり、開放時に凹所２４を露出するタイプであるため、コア片２０を射出成形により製造する際に、シンプルな構造を有した金型を使用することができるので、複雑な突起、襞等を形成する等、コア片の内面形状にバリエーションを持たせることが容易となり、使用感を高めることが可能となる。
【００３８】
本発明では、コア片２０とケース片４との間の空所Ｓ内に弾性多孔質部材１０を配置し、抜気機構４０を介して空所Ｓを外気と連通させたり、非連通状態とすることができるため、抜気機構を閉止した際には弾性多孔質部材１０はエアクッションとして機能し、挿入空所２１内を往復動するペニスに対して適度な加圧力と刺激を与えて精子採取効果を高めることができる。
また、弾性多孔質部材１０は、コア片を構成するゲル状樹脂材料に比して軽量であるため、射精促進装置を軽量化して操作性、取扱性を高めることができ、またゲル状樹脂に比して低廉であるためコストダウンを図ることができる。
【符号の説明】
【００３９】
１…射精促進装置、２…開閉ユニット、３…ヒンジ部、４…ケース片、４ａ…挿入用開口部、５…筒状中空部、５ａ…凹所、６…貫通穴、７…端縁、１０…弾性多孔質部材、２０…コア片、２０Ａ…コア部材、２１…挿入空所、２１ａ…挿入口、２３…軟質樹脂層、２４…凹所、２６…凹部、３０…ホルダ、３１…基部、３１ａ…底面、３５…保持部、３６…ガイド溝、４０…抜気機構、４１…貫通穴、４２…貫通穴部材、４３…フランジ部収容部、４３…フランジ部収容部、４３ａ…防水環状壁、４３ｂ…内壁、４４…軸部材ガイド部、４５…軸部材ガイド部、４５ａ…環状係止片、５０…バルブ部材、５１…フランジ部、５１ａ…空洞部、５１ｂ…外側開口部、５５…軸部材、５５ａ…中空部、５５ｂ…内側開口部、５５ｃ…先端開口部、５５ｄ…段差部、５６…ビス、６０…弾性部材、７０…キャップ部材、７０ａ…収容空間、７１…外面、７１ａ…被押圧面（被押圧部）、７１ｂ…張出し面（被張出し部）、７２…開閉片、７３…弾性気密片、７３ａ…ワイパー、７５…外径側リブ、７６…内径側リブ、８０Ａ、８０Ｂ…Ｏリング（パッキング）、８１…ワッシャ、９０…防水構造
【図１】
2011118665.tif 000003
【図２】
2011118665.tif 000004
【図３】
2011118665.tif 000005
【図４】
2011118665.tif 000006
【図５】
2011118665.tif 000007
【図６】
2011118665.tif 000008
【図７】
2011118665.tif 000009
【図８】
2011118665.tif 000010
【図９】
2011118665.tif 000011
【図１０】
2011118665.tif 000012
【図１１】
2011118665.tif 000013
【図１２】
2011118665.tif 000014
【図１３】
2011118665.tif 000015
【図１４】
2011118665.tif 000016
【図１５】
2011118665.tif 000017
【国際調査報告】
2011118665.tif 000018
2011118665.tif 000019
2011118665.tif 000020
2011118665.tif 000021